(57)【特許請求の範囲】
【請求項１】
電源と負荷装置との間に接続されるスイッチを制御するスイッチ制御装置であって、
前記スイッチの閉命令を取得する閉命令取得部と、
前記閉命令取得部が閉命令を取得した場合に前記スイッチを予め設定された閉時間だけ閉じる第１の処理と前記スイッチを予め設定された開時間だけ開く第２の処理とを交互に行なう制御部と、
予め設定された電流値である電流閾値を記憶する電流閾値記憶部と、
前記閉時間中に前記スイッチに流れる電流を計測する電流計測部と、
前記電流計測部が計測した電流のピーク値を求める電流ピーク値特定部と、
を備え、
閉命令を取得後の通電開始時に前記スイッチの開閉を繰り返すことによって前記スイッチに流れる突入電流を抑制するとともに、
前記電流ピーク値特定部が求めた電流のピーク値が前記電流閾値記憶部が記憶している電流閾値以下であると前記制御部が判定した場合に前記第１の処理と前記第２の処理とを停止して前記スイッチを閉じる
ことを特徴とするスイッチ制御装置。
【請求項２】
請求項１に記載のスイッチ制御装置と、
前記負荷装置の出力端子と前記スイッチとの間に直列に接続される還流用整流器と、
を備えることを特徴とする開閉器。
【請求項３】
前記電源と前記負荷装置との間に前記スイッチと並列に接続されるスナバ回路を更に備えることを特徴とする請求項２に記載の開閉器。
【請求項４】
前記負荷装置の入力端子と前記スイッチとの間に直列に接続される電流制限用コイルを更に備えることを特徴とする請求項２又は３に記載の開閉器。
【請求項５】
電源と負荷装置との間に接続されるスイッチを制御するスイッチ制御方法であって、
前記スイッチの閉命令を取得する過程と、
前記閉命令取得過程で閉命令を取得した場合に前記スイッチを予め設定された閉時間だけ閉じる第１の処理と前記スイッチを予め設定された開時間だけ開く第２の処理とを交互に行なう過程と、
予め設定された電流値である電流閾値を記憶する過程と、
前記閉時間中に前記スイッチに流れる電流を計測する過程と、
前記電流計測部が計測した電流のピーク値を求める過程と、
を実行し、
閉命令を取得後の通電開始時に前記スイッチの開閉を繰り返すことによって前記スイッチに流れる突入電流を抑制するとともに、
前記電流のピーク値が前記電流閾値以下であると判定した場合に前記第１の処理と前記第２の処理とを停止して前記スイッチを閉じることを特徴とするスイッチ制御方法。
【発明の詳細な説明】
【技術分野】
【０００１】
本発明は、スイッチ制御装置、開閉器及びスイッチ制御方法に関し、特に、電源と負荷装置との間に接続されるスイッチを制御するためのスイッチ制御装置、開閉器及びスイッチ制御方法に関する。
【背景技術】
【０００２】
図８は、従来から知られている開閉器２００等の構成を示す回路図である。図８に示す回路は、電源１００、開閉器２００、負荷装置３００により構成されている。
電源１００は、一方の端子１００ａが開閉器２００の端子２００ａに接続されており、他方の端子１００ｂが開閉器２００の端子２００ｂに接続されている。
開閉器２００は、スイッチ２１０を内蔵しており、端子２００ｃが負荷装置３００の入力端子３００ａに接続されており、端子２００ｄが負荷装置３００の出力端子３００ｂに接続されている。
【０００３】
スイッチ２１０は、開閉器２００の管理者等の操作に基づいて、開閉器２００の端子２００ａと端子２００ｃとを電気的に導通させたり絶縁させたりする。
負荷装置３００は、容量性負荷３１０を内蔵している。容量性負荷３１０は、一方の端子３１０ａが端子３００ａに接続されており、他方の端子３１０ｂが端子３００ｂに接続されている。
図８に示した回路において、電源１００から負荷装置３００に電力を供給する場合には、開閉器２００の管理者等が開閉器２００のスイッチ２１０を閉じていた。なお、スイッチの開閉を制御する技術として特許文献１、特許文献２に記載されている技術が知られている。
【特許文献１】特開平２−５２５２２号公報
【特許文献２】特開２００３−６８１７８号公報
【発明の開示】
【発明が解決しようとする課題】
【０００４】
しかしながら、従来の開閉器２００では、スイッチ２１０を閉じた場合に、電源１００から負荷装置３００に突入電流が流れ込んで、スイッチ２１０に大きな負荷がかかるという問題があった。
【０００５】
本発明は、上記事情に鑑みてなされたものであり、その目的は、スイッチを閉じた場合に、電源から負荷装置に突入電流が流れ込んで、スイッチに大きな負荷がかかることを防ぐことができるスイッチ制御装置、開閉器及びスイッチ制御方法を提供することにある。
【課題を解決するための手段】
【０００６】
本発明は、上記課題を解決するためになされたもので、請求項１に記載の発明は、電源と負荷装置との間に接続されるスイッチを制御するスイッチ制御装置であって、前記スイッチの閉命令を取得する閉命令取得部と、前記閉命令取得部が閉命令を取得した場合に前記スイッチを予め設定された閉時間だけ閉じる第１の処理と前記スイッチを予め設定された開時間だけ開く第２の処理とを交互に行なう制御部と、予め設定された電流値である電流閾値を記憶する電流閾値記憶部と、前記閉時間中に前記スイッチに流れる電流を計測する電流計測部と、前記電流計測部が計測した電流のピーク値を求める電流ピーク値特定部と、を備え、閉命令を取得後の通電開始時に前記スイッチの開閉を繰り返すことによって前記スイッチに流れる突入電流を抑制するとともに、前記電流ピーク値特定部が求めた電流のピーク値が前記電流閾値記憶部が記憶している電流閾値以下であると前記制御部が判定した場合に前記第１の処理と前記第２の処理とを停止して前記スイッチを閉じることを特徴とするスイッチ制御装置である。
【０００７】
本発明では、閉命令取得部が閉命令を取得した場合にスイッチを閉時間だけ閉じる第１の処理とスイッチを開時間だけ開く第２の処理とを第１の制御部が交互に行なうようにした。よって、電源からスイッチに突入電流が流入した場合であっても、交互に行なわれる第１の処理と第２の処理のうち、第１の処理の間に突入電流を少しずつ負荷装置に出力することができる。このため、スイッチを閉じた場合に、電源から負荷装置に突入電流が流れ込んで、スイッチに大きな負荷がかかることを防ぐことができる。
また、本発明では、電流ピーク値特定部が特定したピーク値が、電流閾値記憶部が記憶している電流閾値以下であると制御部が判定した場合に、第１の処理と第２の処理とを停止してスイッチを閉じるようにした。
よって、スイッチに流入する突入電流が電流閾値以下に減衰した後に、電源から負荷装置に電力を供給することができるため、負荷装置に突入電流が流入することを防ぐことができ、負荷装置に大きな負荷がかかることを防ぐことができる。
【０００８】
また、請求項２に記載の発明は、請求項１に記載のスイッチ制御装置と、前記負荷装置の出力端子と前記スイッチとの間に直列に接続される還流用整流器とを備えることを特徴とする開閉器である。
本発明では、負荷装置の出力端子とスイッチとの間に還流用整流器を直列に接続するようにしたので、スイッチを閉じてから開いた場合に、負荷装置に蓄積されている電力により生じる電流を負荷装置と還流用整流器により還流させることができるため、スイッチの端子に大きな電圧がかかり、スイッチが破損等することを防ぐことができる。
【０００９】
また、請求項３に記載の発明は、前記電源と前記負荷装置との間に前記スイッチと並列に接続されるスナバ回路を更に備えることを特徴とする請求項２に記載の開閉器である。
本発明では、電源と負荷装置との間にスイッチと並列にスナバ回路を接続するようにしたので、スイッチの開閉時にスイッチの両端に高電圧が印加されることを防ぐことができる。
【００１０】
また、請求項４に記載の発明は、前記負荷装置の入力端子と前記スイッチとの間に直列に接続される電流制限用コイルを更に備えることを特徴とする請求項２又は３に記載の開閉器である。
本発明では、負荷装置の入力端子とスイッチとの間に電流制限用コイルを直列に接続するようにしたので、スイッチから負荷装置に対して大きな電流が出力された場合であっても、電流制限用コイルによる電磁誘導により、その電流を減衰させることができる。
【００１１】
また、請求項５に記載の発明は、電源と負荷装置との間に接続されるスイッチを制御するスイッチ制御方法であって、前記スイッチの閉命令を取得する過程と、前記閉命令取得過程で閉命令を取得した場合に前記スイッチを予め設定された閉時間だけ閉じる第１の処理と前記スイッチを予め設定された開時間だけ開く第２の処理とを交互に行なう過程と、予め設定された電流値である電流閾値を記憶する過程と、前記閉時間中に前記スイッチに流れる電流を計測する過程と、前記電流計測部が計測した電流のピーク値を求める過程とを実行し、閉命令を取得後の通電開始時に前記スイッチの開閉を繰り返すことによって前記スイッチに流れる突入電流を抑制するとともに、前記電流のピーク値が前記電流閾値以下であると判定した場合に前記第１の処理と前記第２の処理とを停止して前記スイッチを閉じることを特徴とするスイッチ制御方法である。
【発明の効果】
【００１２】
本発明では、スイッチを閉じた場合に、電源から負荷装置に突入電流が流れ込んで、スイッチに大きな負荷がかかることを防ぐことができる。
【発明を実施するための最良の形態】
【００１３】
（第１の実施形態）
図１は、本発明の第１の実施形態による開閉器２０Ａ等の構成を示す回路図である。図１に示す回路は、電源１０、開閉器２０Ａ、負荷装置３０により構成されている。
電源１０は、一方の端子１０ａが開閉器２０Ａの端子２０ａに接続されており、他方の端子１０ｂが開閉器２０Ａの端子２０ｂに接続されている。
開閉器２０Ａは、スイッチ２１、スイッチ制御装置２２、電流制限用コイル２３、還流用整流器２４を備えている。
スイッチ２１の一方の端子２１ａは開閉器２０Ａの端子２０ａに接続されおり、他方の端子２１ｂは電流制限用コイル２３の一方の端子２３ａと還流用整流器２４の一方の端子２４ａとに接続されている。
電流制限用コイル２３の他方の端子２３ｂは、開閉器２０Ａの端子２０ｃに接続されている。また、還流用整流器２４の他方の端子２４ｂは、開閉器２０Ａの端子２０ｂと端子２０ｄとに接続されている。
【００１４】
スイッチ２１は、スイッチ制御装置２２による制御に基づいて、開閉器２０Ａの端子２０ａと端子２０ｃとを電気的に導通させたり絶縁させたりする。
本実施形態では、電流制限用コイル２３として鉄心コイルを用いているが、空心コイルを用いても良い。
還流用整流器２４は、ダイオードであり、端子２４ｂから端子２４ａへの電流は流れるが、端子２４ａから端子２４ｂへの電流は流れない。
負荷装置３０は、容量性負荷３１を内蔵している。容量性負荷３１は、一方の端子３１ａが端子３０ａに接続されており、他方の端子３１ｂが端子３０ｂに接続されている。
【００１５】
図２は、本発明の第１の実施形態によるスイッチ制御装置２２の構成を示すブロック図である。このスイッチ制御装置２２は、開閉命令取得部２２１、電流閾値記憶部２２２、計時部２２３、スイッチ開閉時間記憶部２２４、制御部２２５、スイッチ開閉部２２６、電流計測部２２７、電流ピーク値特定部２２８を備えている。
【００１６】
開閉命令取得部２２１は、ボタンなどの入力機器であり、制御部２２５に接続されている。開閉命令取得部２２１は、開閉器２０Ａの管理者等の操作に基づいて、スイッチ２１を開くための命令である開命令、又は、スイッチ２１を閉じるための命令である閉命令を取得し、その開命令又は閉命令を制御部２２５に出力する。
電流閾値記憶部２２２は、メモリなどの記憶装置であり、制御部２２５に接続されている。電流閾値記憶部２２２には、予め設定された電流値である電流閾値Ｉｔｈが予め記録される。
【００１７】
計時部２２３は、タイマーなどであり、制御部２２５に接続されている。計時部２２３は、現在時刻を制御部２２５に出力する。
スイッチ開閉時間記憶部２２４は、メモリなどの記憶装置であり、制御部２２５に接続されている。スイッチ開閉時間記憶部２２４には、予め設定されたスイッチ２１を閉じる時間である閉時間ｔｃと、予め設定されたスイッチ２１を開く時間である開時間ｔｏとが記録される。
【００１８】
制御部２２５は、ＣＰＵ（Central Processing Unit）などの制御装置であり、開閉命令取得部２２１、電流閾値記憶部２２２、計時部２２３、スイッチ開閉時間記憶部２２４、スイッチ開閉部２２６、電流計測部２２７、電流ピーク値特定部２２８に接続されている。制御部２２５は、後述する図３のフローチャートに示すようにスイッチ制御装置２２の各部を制御する。
【００１９】
スイッチ開閉部２２６は、制御部２２５、スイッチ２１に接続されており、制御部２２５の制御に基づいて、スイッチを開閉する。
電流計測部２２７は、制御部２２５、電流ピーク値特定部２２８、スイッチ２１に接続されており、スイッチ２１が閉じられているときにスイッチ２１に流れる電流を計測する。
電流ピーク値特定部２２８は、制御部２２５、電流計測部２２７に接続されており、電流計測部２２７が計測した電流のピーク値を求める。
【００２０】
図３は、本発明の第１の実施形態によるスイッチ制御装置２２の処理を示すフローチャートである。
始めに、開閉命令取得部２２１は、閉命令を取得したか否かについて判定する（ステップＳ０１）。閉命令を取得していない場合には、ステップＳ０１で「ＮＯ」と開閉命令取得部２２１は判定し、予め設定された時間（例えば、０．０１秒）経過後、ステップＳ０１に進む。一方、閉命令を取得した場合には、ステップＳ０１で「ＹＥＳ」と開閉命令取得部２２１は判定し、ステップＳ０２に進む。そして、スイッチ開閉部２２６は、スイッチ２１を閉じる（ステップＳ０２）。
【００２１】
次に、制御部２２５は、計時部２２３が出力する現在時刻に基づいて、ステップＳ０２でスイッチ２１を閉じてから、スイッチ開閉時間記憶部２２４が記憶している閉時間ｔｃが経過したか否かについて判定する（ステップＳ０３）。閉時間ｔｃが経過していない場合には、ステップＳ０３で「ＮＯ」と制御部２２５は判定し、ステップＳ０３に進む。一方、閉時間ｔｃが経過している場合には、ステップＳ０３で「ＹＥＳ」と制御部２２５は判定し、ステップＳ０４に進む。
【００２２】
そして、電流計測部２２７は、スイッチ２１に流れる電流を計測する（ステップＳ０４）。次に、電流ピーク値特定部２２８は、ステップＳ０４で電流計測部２２７が計測した電流に基づいて、電流ピーク値を求める（ステップＳ０５）。
そして、スイッチ開閉部２２６は、スイッチ２１を開く（ステップＳ０６）。
【００２３】
次に、制御部２２５は、計時部２２３が出力する現在時刻に基づいて、ステップＳ０６でスイッチ２１を閉じてから、スイッチ開閉時間記憶部２２４が記憶している開時間ｔｏが経過したか否かについて判定する（ステップＳ０７）。開時間ｔｏが経過していない場合には、ステップＳ０７で「ＮＯ」と制御部２２５は判定し、予め設定された時間（例えば、０．０１秒）経過後、ステップＳ０８に進む。一方、開時間ｔｏが経過している場合には、ステップＳ０７で「ＹＥＳ」と制御部２２５は判定し、ステップＳ０８に進む。
【００２４】
そして、制御部２２５は、ステップＳ０５で電流ピーク値特定部２２８が求めた電流ピーク値が、電流閾値記憶部２２２が記憶している電流閾値Ｉｔｈ以下であるか否かについて判定する（ステップＳ０８）。電流ピーク値が電流閾値以下ではない場合には、ステップＳ０８で「ＮＯ」と制御部２２５は判定し、ステップＳ０２に進む。一方、電流ピーク値が電流閾値以下である場合には、ステップＳ０８で「ＹＥＳ」と制御部２２５は判定し、ステップＳ０９に進む。
そして、スイッチ開閉部２２６は、スイッチ２１を閉じる（ステップＳ０９）。
【００２５】
次に、制御部２２５は、開閉命令取得部２２１は、開命令を取得したか否かについて判定する（ステップＳ１０）。開命令を取得していない場合には、ステップＳ１０で「ＮＯ」と開閉命令取得部２２１は判定し、予め設定された時間（例えば、０．０１秒）経過後、ステップＳ１０に進む。一方、開命令を取得した場合には、ステップＳ１０で「ＹＥＳ」と開閉命令取得部２２１は判定し、ステップＳ０１に進む。
【００２６】
図４（ａ）は、本発明の第１の実施形態によるスイッチ制御装置２２の処理（図３）を行なった場合におけるスイッチ２１の開閉状態を示す図である。
図４（ａ）では、開閉命令取得部２２１が時刻ｔ１で閉命令を取得し（図３のステップＳ０１で「ＹＥＳ」）、時刻ｔ１２で開命令を取得している（図３のステップＳ１０で「ＹＥＳ」）。
【００２７】
また、スイッチ開閉部２２６は、時刻ｔ１、ｔ３、ｔ５、ｔ７、ｔ９でスイッチ２１を閉じている（図３のステップＳ０２）。また、スイッチ開閉部２２６は、時刻ｔ２、ｔ４、ｔ６、ｔ８、ｔ１０でスイッチ２１を開いている（図３のステップＳ０６）。
また、スイッチ開閉部２２６は、時刻ｔ１０でスイッチ２１を閉じている（図３のステップＳ０９）。また、スイッチ開閉部２２６は、時刻ｔ１２でスイッチ２１を開いている（図３のステップＳ１１）。
【００２８】
図４（ｂ）は、本発明の第１の実施形態によるスイッチ制御装置２２の処理（図２）を行なった場合におけるスイッチ２１に流れる電流値を示す図である。
図４（ｂ）に示すように、時刻ｔ１、ｔ３、ｔ５、ｔ７、ｔ９でスイッチ２１が閉じられると（図３のステップＳ０２）、スイッチ２１に電流が流れ始める。また、時刻ｔ２、ｔ４、ｔ６、ｔ８、ｔ１０でスイッチ２１が開かれると（図３のステップＳ０６）、スイッチ２１に流れる電流が減少していく。
電流ピーク値特定部２２８は、時刻ｔ２、ｔ４、ｔ６、ｔ８、ｔ１０における電流値Ｉ２、Ｉ４、Ｉ６、Ｉ８、Ｉ１０をそれぞれ電流ピーク値とする（図３のステップＳ０５）。
【００２９】
電流ピーク値Ｉ２、Ｉ４、Ｉ６、Ｉ８は電流閾値Ｉｔｈ以上であるため、図３のステップＳ０８では「ＮＯ」と制御部２２５が判定するが、電流ピーク値Ｉ１０は電流閾値Ｉｔｈ以下であるため、図３のステップＳ０８で「ＹＥＳ」と制御部２２５が判定する。その後、スイッチ２１は閉じられ（図３のステップＳ０９）、スイッチ２１には、電流閾値Ｉｔｈ以下の電流が流れる。
【００３０】
本発明の第１の実施形態によるスイッチ制御装置２２を用いれば、電源１０からスイッチ２１に突入電流が流入した場合であっても、閉時間ｔｃだけスイッチ２１を閉じる第１の処理と、開時間ｔｏだけスイッチ２１を開く第２の処理とを交互に行なうことにより、第１の処理の間に突入電流を少しずつ負荷装置３０に出力することができる。このため、スイッチ２１を閉じた場合に、電源１０から負荷装置３０に突入電流が流れ込んで、スイッチ２１に大きな負荷がかかることを防ぐことができる。
また、開閉器２０Ａ側で突入電流を抑制することができるため、負荷装置３０側に突入電流を防止する機能を設ける必要がなくなる。
また、スイッチ２１の開閉によってスイッチ２１に流れる平均電流を制限するため、従来技術で使用されていた方法によって突入電流を抑制するよりも電力の損失を抑えることができる。
【００３１】
（第２の実施形態）
図５は、本発明の第２の実施形態による開閉器２０Ｂ等の構成を示す回路図である。第２の実施形態において、第１の実施形態（図１）と同じ構成をとる部分については、同一の符号を付して、それらの説明を省略する。
第２の実施形態では、開閉器２０Ｂがスナバ回路２５を備えている点において、第１の実施形態による開閉器２０Ａ（図１）と相違している。
スナバ回路２５の一方の端子２５ａは、開閉器２０Ｂの端子２０ａとスイッチ２１の端子２１ａとに接続されている。また、スナバ回路２５の他方の端子２５ｂは、電流制限用コイル２３の一方の端子２３ａと還流用整流器２４の一方の端子２４ａとに接続されている。
【００３２】
図６は、本発明の第２の実施形態によるスナバ回路２５（図５）の構成を示す回路図である。スナバ回路２５は、スイッチ２１の開閉時にスイッチ２１の両端に高電圧が印加されることを防ぐ回路である。
スナバ回路２５は、コンデンサ２５１、抵抗２５２、ダイオード２５３を備えている。
コンデンサ２５１の一方の端子２５１ａは、スナバ回路２５の端子２５ａに接続されている。また、コンデンサ２５１の他方の端子２５１ｂは、抵抗の端子２５２ａとダイオードの端子２５３ａとに接続されている。
【００３３】
抵抗２５２は、一方の端子２５２ａがコンデンサ２５１の端子２５１ｂとダイオード２５３の端子２５３ａとに接続されている。また、抵抗２５２は、他方の端子２５２ｂがスナバ回路２５の端子２５ｂとダイオード２５３の端子２５３ｂとに接続されている。
ダイオード２５３は、一方の端子２５３ａがコンデンサ２５１の端子２５１ｂと抵抗２５２の端子２５２ａとに接続されている。また、ダイオード２５３は、他方の端子２５３ｂがスナバ回路２５の端子２５ｂと抵抗の端子２５２ｂとに接続されている。
【００３４】
本発明の第２の実施形態では、第１の実施形態で得られる効果に加えて、スイッチ２１の開閉時にスイッチ２１の両端に高電圧が印加されることを防ぐことができ、スイッチ２１の開閉時にスイッチ２１に大きな負荷がかかることをより効率的に防ぐことができる。
【００３５】
（第３の実施形態）
図７は、本発明の第３の実施形態による開閉器２０Ｃ等の構成を示す回路図である。第３の実施形態において、第２の実施形態（図５）と同じ構成をとる部分については、同一の符号を付して、それらの説明を省略する。
第３の実施形態では、開閉器２０Ｃの端子２０ｃと、スイッチ２１の端子２１ｂと還流用整流器２４の端子２４ａの接続点との間に、電流制限用コイル２３が接続されていない点において、第２の実施形態による開閉器２０Ｂ（図５）と相違している。
【００３６】
本発明の第３の実施形態は、開閉器２０Ｃの端子２０ｃと負荷装置３０の端子３０ａとの間の配線の距離が十分に長い場合に有効であり、その配線の浮遊インダクタンスを、電流制限用コイルの代わりとして利用する。
本発明の第３の実施形態は、第２の実施形態で得られる効果に加えて、開閉器に電流制限用コイルを設ける必要がないので、開閉器２０Ｃの製造コストを低くすることができる。
【００３７】
なお、以上説明した実施形態において、図２のスイッチ制御装置２２の開閉命令取得部２２１、電流閾値記憶部２２２、計時部２２３、スイッチ開閉時間記憶部２２４、制御部２２５、スイッチ開閉部２２６、電流計測部２２７、電流ピーク値特定部２２８の機能又はこれらの機能の一部を実現するためのプログラムをコンピュータ読み取り可能な記録媒体に記録して、この記録媒体に記録されたプログラムをコンピュータシステムに読み込ませ、実行することによりスイッチ制御装置２２の制御を行なってもよい。なお、ここでいう「コンピュータシステム」とは、ＯＳや周辺機器等のハードウェアを含むものとする。
【００３８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３９】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００４０】
【図１】本発明の第１の実施形態による開閉器２０Ａ等の構成を示す回路図である。
【図２】本発明の第１の実施形態によるスイッチ制御装置２２の構成を示すブロック図である。
【図３】本発明の第１の実施形態によるスイッチ制御装置２２の処理を示すフローチャートである。
【図４】本発明の第１の実施形態によるスイッチ制御装置２２の処理（図３）を行なった場合におけるスイッチ２１の開閉状態とスイッチ２１に流れる電流値を示す図である。
【図５】本発明の第２の実施形態による開閉器２０Ｂ等の構成を示す回路図である。
【図６】本発明の第２の実施形態によるスナバ回路２５（図５）の構成を示す回路図である。
【図７】本発明の第３の実施形態による開閉器２０Ｃ等の構成を示す回路図である。
【図８】従来から知られている開閉器２００等の構成を示す回路図である。
【符号の説明】
【００４１】
２０Ａ、２０Ｂ、２０Ｃ・・・開閉器、１０・・・電源、３０・・・負荷装置、２１・・・スイッチ、２２・・・スイッチ制御装置、２３・・・電流制限用コイル、２４・・・還流用整流器、２５・・・スナバ回路、１００・・・電源、２００・・・開閉器、２１０・・・スイッチ、２２１・・・開閉命令取得部、２２２・・・電流閾値記憶部、２２３・・・計時部、２２４・・・スイッチ開閉時間記憶部、２２５・・・制御部、２２６・・・スイッチ開閉部、２２７・・・電流計測部、２２８・・・電流ピーク値特定部、２５１・・・コンデンサ、２５２・・・抵抗、２５３・・・ダイオード、３００・・・負荷装置、３１０・・・容量性負荷
【図１】
0005181738.tif 000002
【図２】
0005181738.tif 000003
【図３】
0005181738.tif 000004
【図４】
0005181738.tif 000005
【図５】
0005181738.tif 000006
【図６】
0005181738.tif 000007
【図７】
0005181738.tif 000008
【図８】
0005181738.tif 000009